(57)【要約】  表示部を備え、表示部に表示する言語の設定を行う機能を備えたリモートコントローラであって、人から発せられた音声が入力される音声入力部と、音声入力部に入力された音声データから言語を特定し、特定した言語に関する言語データを表示部に表示する自動言語設定部と、を備えたものである。
2017037882.tif 000002
【特許請求の範囲】
【請求項１】
表示部を備え、該表示部に表示する言語の設定を行う機能を備えたリモートコントローラであって、
人から発せられた音声が入力される音声入力部と、
前記音声入力部に入力された音声データから言語を特定し、特定した言語に関する言語データを前記表示部に表示する自動言語設定部と、を備えた
リモートコントローラ。
【請求項２】
複数種類の言語データが記憶された記憶部を備え、
前記自動言語設定部は、
特定した言語に関する言語データを、前記記憶部から取得するように構成された
請求項１に記載のリモートコントローラ。
【請求項３】
複数種類の言語データが記憶された外部サーバーと通信を行う通信部を備え、
前記自動言語設定部は、
特定した言語に関する言語データを、前記通信部を介して前記外部サーバーから取得するように構成された
請求項１または２に記載のリモートコントローラ。
【請求項４】
前記自動言語設定部は、
特定した言語に関する前記言語データが前記記憶部に記憶されていない場合は、
該言語データを、前記通信部を介して前記外部サーバーから取得するように構成された
請求項２に従属する請求項３に記載のリモートコントローラ。
【請求項５】
表示部を備え、該表示部に表示する言語の設定を行う機能を備えたリモートコントローラであって、
人から発せられた音声が入力される音声入力部と、
外部サーバーと通信を行う通信部と、
前記音声入力部に入力された音声データを、前記通信部を介して前記外部サーバーに送信し、前記音声データから特定された言語に関する言語データを前記外部サーバーから受信し、該言語データを前記表示部に表示する自動言語設定部と、を備えた
リモートコントローラ。
【発明の詳細な説明】
【技術分野】
【０００１】
本発明は、主に空気調和装置などに用いられるリモートコントローラに関するものである。
【背景技術】
【０００２】
従来のリモートコントローラにおいて、操作キーを備え、設定画面を見ながら操作キーを操作して、ユーザーが手動で表示部に表示される言語の設定を行うものがある（例えば、特許文献１参照）。
【先行技術文献】
【特許文献】
【０００３】
【特許文献１】特開２０１３−１０２４４６号公報
【発明の概要】
【発明が解決しようとする課題】
【０００４】
特許文献１に記載されているような従来のリモートコントローラにおいて、表示部に表示される言語（以下、表示言語と称する）の設定は、ユーザーの得意ではない言語が表示部に表示されている状態で行われることが多い。また、表示言語の設定は、メイン画面から操作キーを操作して設定画面を表示させ、その設定画面から行う必要があるが、表示言語の設定画面はメイン画面から深い階層にある場合が多い。以上のことから、ユーザーにとって表示言語の設定の操作を行うことが難しく、表示言語の設定が活用されにくい状況であった。つまり、従来のリモートコントローラは、ユーザーの操作性に課題があった。【０００５】
本発明は、以上のような課題を解決するためになされたもので、ユーザーの操作性を改善したリモートコントローラを提供することを目的としている。
【課題を解決するための手段】
【０００６】
本発明に係るリモートコントローラは、表示部を備え、該表示部に表示する言語の設定を行う機能を備えたリモートコントローラであって、人から発せられた音声が入力される音声入力部と、前記音声入力部に入力された音声データから言語を特定し、特定した言語に関する言語データを前記表示部に表示する自動言語設定部と、を備えたものである。
【発明の効果】
【０００７】
本発明に係るリモートコントローラによれば、人から発せられた音声が入力される音声入力部と、音声入力部に入力された音声データから言語を特定し、特定した言語に関する言語データを表示部に表示する自動言語設定部と、を備えているため、自動で表示言語の設定を行うことができ、ユーザーの操作性を改善することができる。
【図面の簡単な説明】
【０００８】
【図１】本発明の実施の形態１に係るリモートコントローラの機能ブロック図である。
【図２】本発明の実施の形態１に係る自動言語設定部の機能ブロック図である。
【図３】本発明の実施の形態１に係るリモートコントローラの動作を示すフローチャートである。
【図４】本発明の実施の形態２に係るリモートコントローラの機能ブロック図である。
【図５】本発明の実施の形態２に係るリモートコントローラの動作を示すフローチャートである。
【図６】本発明の実施の形態３に係るリモートコントローラの機能ブロック図である。
【図７】本発明の実施の形態３に係る自動言語設定部の機能ブロック図である。
【図８】本発明の実施の形態３に係るリモートコントローラの動作を示すフローチャートである。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態１．
図１は、本発明の実施の形態１に係るリモートコントローラ１００の機能ブロック図であり、図２は、本発明の実施の形態１に係る自動言語設定部５０の機能ブロック図である。
本実施の形態１に係るリモートコントローラ１００は、主に空気調和装置に用いられるものである。図１に示すように、リモートコントローラ１００は表示部３を備えており、表示部３内には、言語が表示される言語表示領域４が設けられている。リモートコントローラ１００は、表示部３の言語表示領域４に表示する言語の設定・変更を行う機能を備えている。なお、以下、表示部３の言語表示領域４に表示される言語を、表示言語と称する。
【００１１】
また、複数種類の言語データが予め記憶されている、例えばＲＯＭなどの不揮発性記憶部９と、不揮発性記憶部９に記憶されている言語データが展開される、例えばＲＡＭなどの揮発性記憶部８と、を備えている。
なお、言語データとしては、例えば、日本語、英語、中国語などのデータである。
また、不揮発性記憶部９は、本発明の「記憶部」に相当する。
【００１２】
また、人から発せられた音声が入力される、例えばマイクなどの音声入力部５と、音声入力部５に入力された音声のアナログデータを増幅するアンプ６と、アンプ６により増幅した音声に関するアナログデータをデジタルデータに変換するＡ／Ｄコンバータ７と、を備えている。
【００１３】
また、人の音声に基づいて、表示言語を自動で設定する自動言語設定部５０を備えた制御部１を備えている。制御部１は、例えば不揮発性記憶部９または制御部１内の記憶部（図示せず）に記憶されたプログラムを実行するＣＰＵで構成される。
自動言語設定部５０は、図２に示すように、音声データ取込部５１と、音声データ解析部５２と、設定言語判定部５３と、言語データ取込部５４と、言語データ展開部５５と、言語データ出力部５６と、を備えている。
【００１４】
音声データ取込部５１は、音声入力部５に入力された音声データを、アナログデータからデジタルデータに加工して取り込むものである。音声データ解析部５２は、音声のデジタルデータを解析し、音声の言語を特定するものである。なお、音声データ解析部５２は、例えば、公知の一般的な音声解析アルゴリズムで構成されている。
【００１５】
設定言語判定部５３は、ある言語が現在設定されている言語と同じかどうかを判定するものである。言語データ取込部５４は、言語データを不揮発性記憶部９から取り出すものである。言語データ展開部５５は、言語データを揮発性記憶部８に展開するものである。言語データ出力部５６は、揮発性記憶部８に展開された言語データを表示部３内の言語表示領域４に表示するものである。
【００１６】
なお、本実施の形態１では、自動言語設定部５０を制御部１に備えている構成としたが、自動言語設定部５０の音声データ取込部５１、音声データ解析部５２、設定言語判定部５３、言語データ取込部５４、言語データ展開部５５、および、言語データ出力部５６のうち、全部または一部を制御部１以外に備えている構成としてもよい。
【００１７】
その他、各種操作を行う操作部１０を備えている。この操作部１０は、複数の押しボタンで構成してもよいし、表示部３内のタッチパネルで構成してもよい。
【００１８】
図３は、本発明の実施の形態１に係るリモートコントローラ１００の動作を示すフローチャートである。
次に、本実施の形態１に係るリモートコントローラ１００の表示言語の自動設定動作について説明する。
リモートコントローラ１００の周辺で人から音声が発せられると、その音声が音声入力部５に入力される。音声入力部５に音声が入力されたら（Ｓ１０１のＹＥＳ）、音声データ取込部５１は、音声データを加工して取り込む（Ｓ１０２）。具体的には、音声データ取込部５１は、アンプ６により音声のアナログデータを増幅し、Ａ／Ｄコンバータ７でデジタルデータに変換した後、取り込む。そして、音声データ解析部５２は、この音声のデジタルデータを解析し、音声の言語を特定する（Ｓ１０３）。
【００１９】
その後、設定言語判定部５３は、例えば揮発性記憶部８に記憶されている設定情報を参照し、特定した言語が現在設定されている言語と同じかどうかを判定する（Ｓ１０４）。そして、異なっていたら自動言語設定部５０は、不揮発性記憶部９にアクセスする（Ｓ１０４のＮＯ、Ｓ１０５）。
【００２０】
そして、特定した言語に関する言語データが不揮発性記憶部９に記憶されている場合は（Ｓ１０６のＹＥＳ）、表示言語の変更を行う。具体的には、言語データ取込部５４は、特定した言語に関する言語データを不揮発性記憶部９から取り出し、言語データ展開部５５は、取り出した言語データを揮発性記憶部８に展開する（Ｓ１０７）。そして、言語データ出力部５６は、この展開された言語データを表示部３内の言語表示領域４に表示する（Ｓ１０８）。
【００２１】
一方、特定した言語が現在設定されている言語と同じである場合（Ｓ１０４のＹＥＳ）、または、特定した言語に関する言語データが不揮発性記憶部９に記憶されていない場合は（Ｓ１０６のＮＯ）、表示言語の変更は行わず、自動言語設定部５０は表示言語の設定処理を終了する。
【００２２】
以上のように、本実施の形態１に係るリモートコントローラ１００によれば、人から発せられた音声が入力される音声入力部５と、音声入力部５に入力された音声データから言語を特定し、特定した言語に関する言語データを表示部３に表示する自動言語設定部５０と、を備えているため、自動で表示言語の設定を行うことができ、ユーザーの操作性を改善することができる。
【００２３】
実施の形態２．
以下、本実施の形態２について説明するが、実施の形態１と重複するものについては省略し、実施の形態１と同じ部分または相当する部分には同じ符号を付す。
図４は、本発明の実施の形態２に係るリモートコントローラ１０１の機能ブロック図である。
本実施の形態２に係るリモートコントローラ１０１は、外部サーバー２００と通信を行う通信部１１を備えている。また、外部サーバー２００には、複数種類の言語データが予め記憶されており、リモートコントローラ１０１の不揮発性記憶部９に記憶されている言語データ以外の言語データが記憶されている。なお、その他の構成については実施の形態１と同様である。
【００２４】
図５は、本発明の実施の形態２に係るリモートコントローラ１０１の動作を示すフローチャートである。
次に、本実施の形態２に係るリモートコントローラ１０１の表示言語の自動設定動作について説明する。
リモートコントローラ１０１の周辺で人から音声が発せられると、その音声が音声入力部５に入力される。音声入力部５に音声が入力されたら（Ｓ２０１のＹＥＳ）、音声データ取込部５１は、音声データを加工して取り込む（Ｓ２０２）。具体的には、音声データ取込部５１は、アンプ６により音声のアナログデータを増幅し、Ａ／Ｄコンバータ７でデジタルデータに変換した後、取り込む。そして、音声データ解析部５２は、この音声のデジタルデータを解析し、音声の言語を特定する（Ｓ２０３）。
【００２５】
その後、設定言語判定部５３は、例えば揮発性記憶部８に記憶されている設定情報を参照し、特定した言語が現在設定されている言語と同じかどうかを判定する（Ｓ２０４）。そして、異なっていたら自動言語設定部５０は、不揮発性記憶部９にアクセスする（Ｓ２０４のＮＯ、Ｓ２０５）。
【００２６】
そして、特定した言語に関する言語データが不揮発性記憶部９に記憶されている場合は（Ｓ２０６のＹＥＳ）、表示言語の変更を行う。具体的には、言語データ取込部５４は、特定した言語に関する言語データを不揮発性記憶部９から取り出し、言語データ出力部５６は、取り出した言語データを揮発性記憶部８に展開する（Ｓ２０７）。そして、言語データ出力部５６は、この展開された言語データを表示部３内の言語表示領域４に表示する（Ｓ２０８）。
【００２７】
一方、特定した言語に関する言語データが不揮発性記憶部９に記憶されていない場合は（Ｓ２０６のＮＯ）、自動言語設定部５０は、通信部１１を介して外部サーバー２００にアクセスする（Ｓ２０９）。そして、特定した言語に関する言語データが外部サーバー２００に記憶されている場合は（Ｓ２１０のＹＥＳ）、上記と同様に表示言語の変更を行う。
【００２８】
また、特定した言語が現在設定されている言語と同じである場合（Ｓ２０４のＹＥＳ）、または、特定した言語に関する言語データが不揮発性記憶部９にも外部サーバー２００にも記憶されていない場合は（Ｓ２１０のＮＯ）、表示言語の変更は行わず、自動言語設定部５０は表示言語の設定処理を終了する。
【００２９】
以上のように、本実施の形態２に係るリモートコントローラ１０１によれば、人から発せられた音声が入力される音声入力部５と、音声入力部５に入力された音声データから言語を特定し、特定した言語に関する言語データを表示部３に表示する自動言語設定部５０と、を備えているため、自動で表示言語の設定を行うことができ、ユーザーの操作性を改善することができる。
【００３０】
また、言語データを外部サーバー２０１も備え、外部サーバー２００からも言語データを取り出す構成のため、不揮発性記憶部９の容量を小さくすることができる。さらには、一般的に外部サーバー２００の方が不揮発性記憶部９よりも容量が大きいため、多くの言語データを記憶させることで、実施の形態１よりも多くの言語に対応することができ、言語データの拡張も容易となる。
【００３１】
なお、本実施の形態２では、不揮発性記憶部９および外部サーバー２００が言語データを備えている構成としたが、外部サーバー２００のみが言語データを備えている構成としてもよい。その場合は、図５において、Ｓ２０４のＮＯの後、Ｓ２０５ではなくてＳ２０９に進む。その他のステップについては図５と同様である。
上記のような構成とすることで、リモートコントローラ１０２の構成をシンプルにすることができるため、実施の形態１に比べ、製造コストを抑えることができる。
【００３２】
実施の形態３．
以下、本実施の形態３について説明するが、実施の形態１および２と重複するものについては省略し、実施の形態１および２と同じ部分または相当する部分には同じ符号を付す。
図６は、本発明の実施の形態３に係るリモートコントローラ１０２の機能ブロック図であり、図７は、本発明の実施の形態３に係る自動言語設定部６０の機能ブロック図である。
本実施の形態３では、音声データ解析部２０２をリモートコントローラ１０２の制御部１ではなく、外部サーバー２０１が備えた構成となっている。なお、音声データ解析部２０２は、例えば、公知の一般的な音声解析アルゴリズムで構成されている。また、言語データをリモートコントローラ１０２は備えておらず、外部サーバー２００のみが備えている構成となっており、リモートコントローラ１０２は不揮発性記憶部９を備えていない構成となっている。
【００３３】
また、自動言語設定部６０は、図７に示すように、音声データ取込部６１と、サーバー送信部６２と、サーバー受信部６３と、設定言語判定部６４と、言語データ展開部６５と、言語データ出力部６６と、を備えている。
【００３４】
音声データ取込部６１は、音声入力部５に入力された音声データを、アナログデータからデジタルデータに加工して取り込むものである。サーバー送信部６２は、通信部１１を介して外部サーバー２０１にデータを送信するものである。
【００３５】
サーバー受信部６３は、通信部１１を介して外部サーバー２０１からデータを受信するものである。設定言語判定部６４は、ある言語が現在設定されている言語と同じかどうかを判定するものである。言語データ展開部６５は、言語データを揮発性記憶部８に展開するものである。言語データ出力部６６は、揮発性記憶部８に展開された言語データを表示部３内の言語表示領域４に表示するものである。
【００３６】
なお、本実施の形態３では、自動言語設定部６０を制御部１に備えている構成としたが、自動言語設定部６０の音声データ取込部６１、サーバー送信部６２、サーバー受信部６３、設定言語判定部６４、言語データ展開部６５、および、言語データ出力部６６のうち、全部または一部を制御部１以外に備えている構成としてもよい。
【００３７】
その他の構成については実施の形態２と同様である。
【００３８】
図８は、本発明の実施の形態３に係るリモートコントローラ１０２の動作を示すフローチャートである。
次に、本実施の形態３に係るリモートコントローラ１０２の表示言語の自動設定動作について説明する。なお、以下の説明において、Ｓ３０１〜Ｓ３０７は、リモートコントローラ１０２の処理であり、Ｓ３１１〜Ｓ３１４は、外部サーバー２０１の処理である。
【００３９】
リモートコントローラ１０２の周辺で人から音声が発せられると、その音声が音声入力部５に入力される。音声入力部５に音声が入力されたら（Ｓ３０１のＹＥＳ）、音声データ取込部６１は、音声データを加工して取り込む（Ｓ３０２）。具体的には、音声データ取込部６１は、アンプ６により音声のアナログデータを増幅し、Ａ／Ｄコンバータ７でデジタルデータに変換した後、取り込む。そして、サーバー送信部６２は、この音声のデジタルデータを、通信部１１を介して外部サーバー２０１に送信する（Ｓ３０３）。
【００４０】
その後、音声のデジタルデータを、外部サーバー２０１の音声データ解析部２０２により解析し、音声の言語を特定する（Ｓ３１１）。そして、特定した言語に関する言語データが外部サーバー２０１に記憶されている場合は（Ｓ３１２のＹＥＳ）、外部サーバー２０１はリモートコントローラ１０２にその言語データを送信する（Ｓ３１３）。一方、特定した言語に関する言語データが外部サーバー２０１に記憶されていない場合は（Ｓ３１２のＮＯ）、リモートコントローラ１０２にＮＧデータを送信する（Ｓ３１４）。
【００４１】
サーバー受信部６３が、通信部１１を介して外部サーバー２０１から言語データを受信したら（Ｓ３０４のＹＥＳ）、設定言語判定部６４は、例えば揮発性記憶部８に記憶されている設定情報を参照し、送られてきた言語データから、特定した言語が現在設定されている言語と同じかどうかを判定する（Ｓ３０５）。そして、異なっていたら表示言語の変更を行う（Ｓ３０５のＮＯ）。具体的には、言語データ展開部６５は、送られてきた言語データを揮発性記憶部８に展開する（Ｓ３０６）。そして、言語データ出力部６６は、この展開された言語データを表示部３内の言語表示領域４に表示する（Ｓ３０７）。
【００４２】
一方、外部サーバー２０１からＮＧデータが送られてきた場合（Ｓ３０４のＮＯ）、または、特定した言語が現在設定されている言語と同じである場合は（Ｓ３０５のＹＥＳ）、表示言語の変更は行わず、自動言語設定部６０は表示言語の設定処理を終了する。
【００４３】
以上のように、本実施の形態３に係るリモートコントローラ１０２によれば、人から発せられた音声が入力される音声入力部５と、音声入力部５に入力された音声データから言語を特定し、特定した言語に関する言語データを表示部３に表示する自動言語設定部６０と、を備えているため、自動で表示言語の設定を行うことができ、ユーザーの操作性を改善することができる。
【００４４】
また、言語データを外部サーバー２０１が備え、外部サーバー２００から言語データを取り出す構成のため、実施の形態１よりも多くの言語に対応することができ、言語データの拡張も容易となる。また、音声データ解析部２０２および言語データを外部サーバー２０１が備えた構成とすることで、リモートコントローラ１０２の構成をシンプルにすることができるため、実施の形態１および２に比べ、製造コストを抑えることができる。また、表示言語の設定処理の一部を外部サーバー２０１に負担させることで、リモートコントローラ１０２の負荷を低減させることができる。
【００４５】
なお、実施の形態１〜３では、特定した言語に応じて自動で表示言語の設定を行う説明をしたが、実施の形態１〜３に係るリモートコントローラ１００〜１０２によれば、同様の方法で、その他の表示内容を自動で設定することができる。例えば、温度単位、および、地域ごとに意味の異なるアイコンなど、地域性のある表示内容を、特定した言語に応じて設定することができる。
【００４６】
また、表示言語の設定について、自動設定を行うかどうかを予め設定画面から選択できるようにしてもよい。また、本実施の形態１〜３に係るリモートコントローラ１００〜１０２は、空気調和装置以外に用いることもできる。
【符号の説明】
【００４７】
１  制御部、３  表示部、４  言語表示領域、５  音声入力部、６  アンプ、７  Ａ／Ｄコンバータ、８  揮発性記憶部、９  不揮発性記憶部、１０  操作部、１１  通信部、５０  自動言語設定部、５１  音声データ取込部、５２  音声データ解析部、５３  設定言語判定部、５４  言語データ取込部、５５  言語データ展開部、５６  言語データ出力部、６０  自動言語設定部、６１  音声データ取込部、６２  サーバー送信部、６３  サーバー受信部、６４  設定言語判定部、６５  言語データ展開部、６６  言語データ出力部、１００  リモートコントローラ、１０１  リモートコントローラ、１０２  リモートコントローラ、２００  外部サーバー、２０１  外部サーバー、２０２  音声データ解析部。
【図１】
2017037882.tif 000003
【図２】
2017037882.tif 000004
【図３】
2017037882.tif 000005
【図４】
2017037882.tif 000006
【図５】
2017037882.tif 000007
【図６】
2017037882.tif 000008
【図７】
2017037882.tif 000009
【図８】
2017037882.tif 000010
【手続補正書】
【提出日】平成29年12月20日(2017.12.20)
【手続補正１】
【補正対象書類名】明細書
【補正対象項目名】０００６
【補正方法】変更
【補正の内容】
【０００６】
本発明に係るリモートコントローラは、表示部を備え、該表示部に表示する言語の設定を行う機能を備えたリモートコントローラであって、人から発せられた音声が入力される音声入力部と、前記音声入力部に入力された音声データから言語を特定し、特定した言語に関する言語データを前記表示部に表示する自動言語設定部と、複数種類の言語データが記憶された記憶部と、を備え、前記自動言語設定部は、特定した言語に関する言語データを、前記記憶部から取得するように構成されたものである。
【手続補正２】
【補正対象書類名】特許請求の範囲
【補正対象項目名】全文
【補正方法】変更
【補正の内容】
【特許請求の範囲】
【請求項１】
表示部を備え、該表示部に表示する言語の設定を行う機能を備えたリモートコントローラであって、
人から発せられた音声が入力される音声入力部と、
前記音声入力部に入力された音声データから言語を特定し、特定した言語に関する言語データを前記表示部に表示する自動言語設定部と、
複数種類の言語データが記憶された記憶部と、を備え、
前記自動言語設定部は、
特定した言語に関する言語データを、前記記憶部から取得するように構成された
リモートコントローラ。
【請求項２】
複数種類の言語データが記憶された外部サーバーと通信を行う通信部を備え、
前記自動言語設定部は、
特定した言語に関する言語データを、前記通信部を介して前記外部サーバーから取得するように構成された
請求項１に記載のリモートコントローラ。
【請求項３】
前記自動言語設定部は、
特定した言語に関する前記言語データが前記記憶部に記憶されていない場合は、
該言語データを、前記通信部を介して前記外部サーバーから取得するように構成された
請求項２に記載のリモートコントローラ。
【請求項４】
表示部を備え、該表示部に表示する言語の設定を行う機能を備えたリモートコントローラであって、
人から発せられた音声が入力される音声入力部と、
外部サーバーと通信を行う通信部と、
前記音声入力部に入力された音声データを、前記通信部を介して前記外部サーバーに送信し、前記音声データから特定された言語に関する言語データを前記外部サーバーから受信し、該言語データを前記表示部に表示する自動言語設定部と、を備えた
リモートコントローラ。
【国際調査報告】
2017037882.tif 000011
2017037882.tif 000012